(57)【要約】【課題】建築物の屋根上に設置された支持具に着脱可能に取り付けることができる安全帯取付具を提供することを目的とする。【解決手段】屋根上に、屋根の傾斜方向に沿って設置された中空形状の支持具に取り付けられ、作業員が装着する安全帯を取り付けるための安全帯取付具であって、上記支持具の天頂側の開口端部に挿入されることで、上記支持具に着脱可能に取り付けられる嵌挿部と、上記嵌挿部と一体に構成され、上記安全帯を取り付けるための取付部と、を有することを特徴とする安全帯取付具を提供する。【選択図】図１
2008127805.tif 000002
【特許請求の範囲】
【請求項１】
屋根上に、屋根の傾斜方向に沿って設置された中空形状の支持具に取り付けられ、作業員が装着する安全帯を取り付けるための安全帯取付具であって、
上記支持具の天頂側の開口端部に挿入されることで、上記支持具に着脱可能に取り付けられる嵌挿部と、
上記嵌挿部と一体に構成され、上記安全帯を取り付けるための取付部と、を有する、
ことを特徴とする安全帯取付具。
【請求項２】
上記支持具には、ボルトを挿通させるための支持具側挿通孔が形成され、
上記安全帯取付具の嵌挿部には、当該嵌挿部を上記支持具に嵌挿したときに、
上記挿通孔に対応する位置に、ボルトを挿通させるための安全帯取付具側挿通孔が形成されており、
上記支持具側挿通孔と上記安全帯取付具側挿通孔とに挿通されたボルトがナットにより螺合されることで、上記支持具と上記安全帯取付具とが一体に固定される、
請求項１記載の安全帯取付具。
【請求項３】
屋根上に、屋根の傾斜方向に沿って、複数並行に設置された中空形状の支持具に作業員が装着する安全帯を取り付けるための取付構造であって、
上記支持具の天頂側の開口端部に挿入されることで、上記支持具に着脱可能に取り付けられる嵌挿部と、上記嵌挿部と一体に構成され、上記親綱を取り付けるための取付部とを有する安全帯取付具と、
上記複数の支持具のうちの二つの支持具の天頂側開口端部に、夫々安全帯取付具の嵌挿部が挿入されることで上記安全帯取付具が取り付けられると共に、当該両安全帯取付具の取付部間に張設された上記親綱と、
上記安全帯が取り付けられ、フックを介して上記親綱に取り付けられた子綱と、を有し、
上記子綱が上記親綱に沿って移動可能に取り付けられる、
ことを特徴とする安全帯取付構造。
【発明の詳細な説明】
【技術分野】
【０００１】
本発明は、建築物の屋根上での作業において、作業員が使用する安全帯を取り付ける安全帯取付具に関する。
【背景技術】
【０００２】
従来、建築物の屋根上での作業においては、作業員の滑落、転落を防止するために、作業員は安全帯を用いている。通常、この安全帯は、足場の手摺り等に架けられる。
しかしながら、点検等の作業の度に足場を設けることは大変面倒であるし、コストもかさんでしまう。
【０００３】
また、安全帯を取り付ける取付具を常時、屋根に取り付けておいたのでは、建築物の外観上の美観を損なうし、風雨にさられる結果、傷んでしまう。
【０００４】
そこで、巻取り式命綱を支柱に取り付けた屋根上安全装置において、屋根上から容易に設置及び撤去することができ、かつ、異なる屋根勾配の屋根棟部に設置できるようにしたものとして、支柱の基部にベース金具を固定し、該ベース金具に、一対のヒンジ金具を前記屋根棟部の屋根勾配に応じて回動可能に連結し、前記ヒンジ金具を前記屋根棟部の両側に配置された構造材に、屋根上から着脱可能な締結手段によって結合することを特徴とする屋根上安全装置が提案されている（特許文献１参照）。
【０００５】
【特許文献１】特開２００５−１５５１８４号公報
【発明の開示】
【発明が解決しようとする課題】
【０００６】
しかしながら、上記特許文献１記載の屋根上安全装置においては、屋根棟部にボルト孔を貫通させ、当該ボルト孔にボルトを挿通させて取付金具を取り付け、当該取付金具を介して上記ベース金具等を着脱させる構造であるため、屋根上に無用なボルト孔を設けることになる。
本来、安全帯は作業員の安全上の必要性から用いられるものであるため、建築物の屋根上に直接安全帯取付具を取り付ける等の造作を加えることは、建築物の所有者にとって好ましくないという問題があった。
【０００７】
一方、屋根上に太陽発電モジュール等を取り付ける際には、当該太陽発電モジュール等を支持するための支持具が屋根上に設置される。そのため、当該支持具を介して、屋根上に安全帯体取付具を着脱可能に取り付けることができれば、屋根上に無用な造作を加えることなく、また、不用なときは取り外して建築物の美観を保つことができる。
【０００８】
そこで、本発明は、建築物の屋根上に設置された支持具に着脱可能に取り付けることができる安全帯取付具を提供することを目的とする。
【課題を解決するための手段】
【０００９】
上記目的を達成するため、本発明の一の観点に係る安全帯取付具は、屋根上に、屋根の傾斜方向に沿って設置された中空形状の支持具に取り付けられ、作業員が装着する安全帯を取り付けるための安全帯取付具であって、上記支持具の天頂側の開口端部に挿入されることで、上記支持具に着脱可能に取り付けられる嵌挿部と、上記嵌挿部と一体に構成され、上記安全帯を取り付けるための取付部と、を有することを特徴とする。
これにより、屋根に無用な造作を加える必要がなく、また、不用なときは取り外しておくことができるので、その外観を損なうことなく、安全帯を使用することができる。
【００１０】
また、上記支持具には、ボルトを挿通させるための支持具側挿通孔が形成され、上記安全帯取付具の嵌挿部には、当該嵌挿部を上記支持具に嵌挿したときに、上記挿通孔に対応する位置に、ボルトを挿通させるための安全帯取付具側挿通孔が形成されており、上記支持具側挿通孔と上記安全帯取付具側挿通孔とに挿通されたボルトがナットにより螺合されることで、上記支持具と上記安全帯取付具とが一体に固定されるものとしてもよい。
これにより、安全帯取付具を支持具にしっかりと固定することができる。
【００１１】
また、本発明の別の観点に係る安全帯取付構造は、屋根上に、屋根の傾斜方向に沿って、複数並行に設置された中空形状の支持具に作業員が装着する安全帯を取り付けるための取付構造であって、上記支持具の天頂側の開口端部に挿入されることで、上記支持具に着脱可能に取り付けられる嵌挿部と、上記嵌挿部と一体に構成され、上記親綱を取り付けるための取付部とを有する安全帯取付具と、上記複数の支持具のうちの二つの支持具の天頂側開口端部に、夫々安全帯取付具の嵌挿部が挿入されることで上記安全帯取付具が取り付けられると共に、当該両安全帯取付具の取付部間に張設された上記親綱と、上記安全帯が取り付けられ、フックを介して上記親綱に取り付けられた子綱と、を有し、上記子綱が上記親綱に沿って移動可能に取り付けられることを特徴とする。
これにより、作業員は親綱に沿って移動することができるので、いちいち安全帯を取り付ける支持具を替えたりすることなく、作業範囲を広く取ることができる。
【発明の効果】
【００１２】
本発明によれば、安全帯取付具を建築物の屋根上に設置された支持具に着脱可能に取り付けることができるので、建築物に無用の造作を加える必要がなく、使用しないときは取り外しておけばよいので、建築物の外観を損なうことがない。
また、支持具自体に安全帯取付具の機構を設ける場合と異なり、支持具自体の部品点数を削減でき、コストを抑えることができる。
【発明を実施するための最良の形態】
【００１３】
以下、本発明の実施形態について図を参照して説明する。
まず、本実施形態に係る安全帯取付具を使用する場合の概略を説明し、続いて各構成部品等について詳述する。
図１は、本実施形態に係る安全帯取付具１の使用状態の一例を示す斜視図である。また、図２は、安全帯取付具１と支持具２の取付状態を示す斜視図である。
図１に示すように、支持具２は屋根４上に設置されており、当該支持具２には太陽電池モジュール３が設置されている。
そして、図２に示すように、支持具２の中空内部に安全帯取付具１の一部が嵌挿されると共に、所定の箇所がネジにより螺設されることにより、これらは一体として構成される。
この状態で、安全帯取付具１のアイボルト１２にフック５１を介して親綱５２を取り付け、当該親綱５２の他端を作業員の腰部等に巻いた所定のベルト等に取り付けて使用される。
なお、本例において、支持具２は太陽電池モジュール３を支持するものとしているが、本発明の実施においてはこれに限定されるものではない。
【００１４】
図３は、本実施形態に係る安全帯取付具１を示す斜視図である。
図３に示すように、安全帯取付具１は、幅狭の両側面及び下面が開口したコの字状の断面からなる柱状体である本体１１と、当該本体１１の外側の上面端部に取り付けられたアイボルト１２とからなる。
【００１５】
本体１１は、安全帯取付具１を支持具２に取り付ける際、支持具２に嵌挿される嵌挿部１１ａと、支持具２には嵌挿されず、支持具２の一端開口部から外部に露出する取付部１１ｂとからなる。
嵌挿部１１ａは、後述する支持具２の開口端部に嵌挿するよう、その断面が当該開口面より僅かに小さく構成されている。
この嵌挿部１１ａの側面には、ネジ棒を挿通させるための挿通孔１３及び挿通孔１４が設けられている。なお、挿通孔１３及び挿通孔１４は、両挿通孔を通る直線が側面に対して垂直となるように設けられている。
【００１６】
本例において、アイボルト１２には、その外周上に雄ネジが切られたネジ部が突設されており、当該ネジ部が本体上面に設けられた取付孔を挿通して、本体１１の内側から、雌ネジが切られたナットにより螺合されて、本体１１とアイボルト１２とが一体となっている。なお、本体１１とアイボルト１２とは、溶接等により一体に構成してもよい。
【００１７】
図４は、本実施形態において、安全帯取付具１を取り付ける支持具２を示す斜視図である。
この支持具２は、屋根４上に設置されるものであって、太陽電池モジュール３を取り付けるための取付機構が所定の箇所に設けられており、当該取付機構により取り付けられた太陽発電モジュールを屋根４上において支持する。
図４が示すように、支持具２は、少なくとも幅狭の一側面及び下面が開口した断面コの字状の中空柱状体であり、その中空部の幅は、安全帯取付具１の嵌挿部１１ａの幅より僅かに大きく、当該中空部に嵌挿部１１ａが嵌挿される大きさとなっている。
【００１８】
また、この支持具２には、太陽電池モジュール３を取り付けるために用いられるネジ棒を挿通させるための挿通孔２１が上面に設けられており、安全帯取付具１を取り付けるために用いられるネジ棒を挿通させるための挿通孔２２及び挿通孔２３が側面に設けられている。
挿通孔２２及び挿通孔２３は、安全帯取付具１を支持具２に嵌挿させた場合に、挿通孔１３及び挿通孔１４と一直線状に並ぶように位置決めされる。
【００１９】
支持具２への太陽電池モジュール３の取り付けの一例は、図５に示すように、支持具２の上に太陽電池モジュール３を配置して、止め部材３１により太陽電池モジュール３と支持具２の上面を押さえ、止め部材に予め設けられた挿通孔、及び挿通孔２１を介してネジ棒３２を挿通させ、ナットにより螺合させる。
【００２０】
次に、安全帯取付具１を支持具２に取り付ける工程について説明する。
図６に示すように、屋根４上に設置された支持具２の天頂側の開口端から、安全帯取付具１を嵌挿部１１ａより嵌挿させた後、雄ネジが切られたネジ棒２４を挿通孔２２、挿通孔１３、挿通孔１４、挿通孔２３と順に挿通させ、当該挿通させたネジ棒２４のねじ山に、内周面に雌ネジが切られたナット部材２５を螺合させる。
これにより、支持具２と安全帯取付具１とが一体化し、取り付けが完了する。
【００２１】
上記の通り支持具２に取り付けた安全帯取付具１の使用方法の一例は、図２に示すように、アイボルト１２にフック５１を介して親綱５２を取り付け、当該取り付けた親綱５２の他端を作業員の腰部等に巻いた所定のベルト等に取り付けて使用する。
これにより、屋根４に無用の造作を加える必要がなく、使用しないときは取り外しておけばよいので、屋根４の外観を損なうことがない。また、支持具２自体に安全帯取付具１の機構を設ける場合と異なり、支持具２自体の部品点数を削減でき、コストを抑えることができる。
【００２２】
続いて、支持具２に取り付けた安全帯取付具１の使用方法の別の例について図７により説明する。
図７に示すように、屋根４に複数取り付けられた支持具２に、安全帯取付具１を取り付け、当該安全帯取付具１のアイボルト１２に、それぞれフック５１を介して親綱５３の一端を取り付け、親綱５３を張る。そして、当該親綱５３に、フック５４を介して子綱５５を取り付ける。当該取り付けた子綱５５の他端を作業員の腰部等に巻いた所定のベルト等に取り付ける。
これにより、子綱５５を取り付けた作業員は、親綱５３をつたって横移動することができ、作業範囲を広くとることができて便利である。また、屋根４にかかる押圧力が２箇所に分散して軽減されるので、屋根への損傷等を防ぐことができる。
【００２３】
上記の通り取り安全帯取付具１を取り付けて所定の作業等を終了した後、安全帯取付具１を支持具２から取り外す場合には、取り付けと逆の工程によって安全帯取付具１を取り外すことができる。まず、ネジ棒２４を回動させてナット部２５から外すと共に、ネジ棒２４を回動させて支持具２から外す。それから、安全帯取付具１を支持具２から引き抜いて、安全帯取付具１を支持具２から取り外すことができる。
【図面の簡単な説明】
【００２４】
【図１】本発明の実施の形態に係る安全帯取付具の使用状態の一例を示す斜視図である。
【図２】本実施形態に係る安全帯取付具と支持具の取付状態を示す斜視図である。
【図３】本実施形態に係る安全帯取付具を示す斜視図である。
【図４】本実施形態において用いられる支持具を示す斜視図である。
【図５】本実施形態において、支持具と太陽電池モジュールの取付状態を示す斜視図である。
【図６】本実施形態において、支持具に安全帯取付具を取り付ける工程を示す概略図である。
【図７】本実施形態に係る安全帯取付具の別の使用例を示す斜視図である。
【符号の説明】
【００２５】
１・・・安全帯取付具、２・・・支持具、３・・・太陽電池モジュール、４・・・屋根、１１・・・本体、１１ａ・・・嵌挿部、１１ｂ・・・取付部、１２・・・アイボルト、１３・・・挿通孔、１４・・・挿通孔、２１・・・挿通孔、２２・・・挿通孔、２３・・・挿通孔、２４・・・ネジ棒、２５・・・ナット部材、３１・・・止め部材、３２・・・ネジ棒、５１・・・フック、５２・・・親綱、５３・・・親綱、５４・・・フック、５５・・・子綱
【図１】
2008127805.tif 000003
【図２】
2008127805.tif 000004
【図３】
2008127805.tif 000005
【図４】
2008127805.tif 000006
【図５】
2008127805.tif 000007
【図６】
2008127805.tif 000008
【図７】
2008127805.tif 000009